(57)【特許請求の範囲】
【請求項１】
眼鏡枠に形設された穴部に着脱自在に嵌合されるドライアイ眼鏡用加湿具であって、開口部を有し、かつその側壁の一部が開口部側に於て弾性を有する分割片となっている合成樹脂製器体内部に保水部材を収容した後、当該開口部に保水部材固定用枠体を着脱自在に嵌入せしめたことを特徴とするドライアイ眼鏡用加湿具。
【請求項２】
器体が、その側壁内面に保水部材を保持すると共に、保水部材固定用枠体を受支するためのリブを備えていることを特徴とする請求項１記載のドライアイ眼鏡用加湿具。
【請求項３】
分割片が、その端部に眼鏡枠穴部の内側縁と係止する外方突縁を有することを特徴とする請求項１又は２記載のドライアイ眼鏡用加湿具。
【請求項４】
器体が、その開口部側壁内面に保水部材固定用枠体を嵌合するための溝を備えていることを特徴とする請求項１〜３の何れか１項記載のドライアイ眼鏡用加湿具。
【請求項５】
保水部材固定用枠体が弾性を有することを特徴とする請求項１〜４の何れか１項記載のドライアイ眼鏡用加湿具。
【発明の詳細な説明】
【０００１】
【発明の属する技術分野】
本発明は、ドライアイ眼鏡用加湿具、更に詳細には涙液分泌の減少により眼に乾燥感や疲労感を覚える所謂ドライアイ症者が使用するドライアイ用の眼鏡に着脱自在に装着される加湿具に関する。
【０００２】
【従来の技術】
従来、ドライアイ眼鏡は、例えば実開平３−２０３１６号公報や実開平４−９５０１５号公報に開示されているように、一般には眼鏡枠に水分や薬剤を徐々に発散させる加湿体を取り付けて構成されている。而して、これらの加湿体は単にブロック状のスポンジ等の保水部材によって構成したものに過ぎなかったため、眼鏡枠への着脱操作性に難があると共に、保水部材の洗浄や交換が困難と云う問題があった。
【０００３】
【発明が解決しようとする課題】
本発明は上記の如き従来の問題に鑑みてなされたものであり、眼鏡枠への着脱操作性に優れると共に、保水部材の洗浄や交換を手軽に行なうことができるドライアイ眼鏡用加湿具を提供することを目的とする。
【０００４】
【課題を解決するための手段】
本発明は、眼鏡枠に形設された穴部に着脱自在に嵌合されるドライアイ眼鏡用加湿具であって、開口部を有し、かつその側壁の一部が開口部側に於て弾性を有する分割片となっている合成樹脂製器体内部に保水部材を収容した後、当該開口部に保水部材固定用枠体を着脱自在に嵌入せしめることにより上記目的を達成したものである。
【０００５】
本発明に於ける器体は、眼鏡枠の穴部に装着した際に、内側に開口部が位置するものであれば、具体的形態は円筒状、角筒状等の如何を問わないが、扁平な椀状とするのが、眼鏡枠から突出する度合が少ないので、眼鏡装着性に優れると共に、デザイン的にも好ましいものが得られる。
【０００６】
また、当該器体の側壁内面には保水部材を保持すると共に、保水部材固定用枠体を受支するためのリブを適宜数形設するのが、保水部材の保持固定上より良い結果が得られる。
【０００７】
また、当該器体はこれを合成樹脂製とし、かつその側壁の開口部側の一部に切れ目を入れ、弾性を有する分割片となっているので、眼鏡枠穴部との嵌合並びに保水部材固定用枠体の嵌入操作上より良い結果が得られる。
【０００８】
而して、この分割片の端部には、更に眼鏡枠穴部の内側縁と係止する外方突縁を形設するのが、眼鏡枠に嵌合した際に自然離脱を防止する上でより良い結果が得られる。
【０００９】
また、上記器体の開口部側壁内面には保水部材固定用枠体を嵌合するための溝を形設するのが、当該固定用枠体の自然離脱を防止する上でより良い結果が得られる。
【００１０】
また、上記保水部材固定用枠体は、例えば合成樹脂製とすることにより、弾性を有するものとするのが、器体開口部への嵌入操作及び取り外し操作上より良い結果が得られる。
【００１１】
【発明の実施の形態】
以下本発明の実施の形態を図面と共に説明する。
【００１２】
図１〜３に於て、１０は開口部１１を有する合成樹脂製の器体で、扁平な椀状体より成り、図４〜７に示す如く、眼鏡枠４０の両サイドに形設された穴部４１に着脱自在に嵌合されるものである。
【００１３】
この器体１０の側壁内面には、リブ１２が器体１０内底部から開口部１１方向に適宜数形設されており、該リブの側壁１２ａにより保水部材２０を周囲から保持すると共に、該リブの外方端部１２ｂにより保水部材固定用枠体３０を受支するようになっている。
【００１４】
また、この器体１０は、その側壁の開口部１１側の一部に切れ目が入れられて弾性を有する分割片１３が複数形設されており、該分割片１３の弾性作用により眼鏡枠４０の穴部４１との嵌合並びに保水部材固定用枠体３０の嵌入操作を容易に行ない得るようになっている。
【００１５】
また、この分割片１３の端部には眼鏡枠４０の穴部４１の内側縁４１ａと係止する外方突縁１３ａが形設されており、器体１０が眼鏡枠４０の穴部４１に嵌合した際に、自然離脱が生じないようになっている。
【００１６】
また、この器体１０は、その開口部側壁（分割片１３を含む）内面に、保水部材固定用枠体３０を嵌合するための溝１４が形設されており、当該固定用枠体３０の自然離脱が生じないようになっている。
【００１７】
保水部材２０としては、水分を保持し、自然に蒸散し得るものであれば、その具体的素材の如何を問わず、例えば、フェルト、紙、海綿、スポンジ等が挙げられる。
【００１８】
この実施の形態に於ける保水部材固定用枠体３０は、自動車のハンドル状に形成されているが、保水部材２０より水分の蒸散に支障がないものであれば、具体的形態の如何は問わず、例えばメッシュ体状のものであっても良い。尚、この固定用枠体３０は合成樹脂製で弾性が付与されており、器体開口部１１への嵌入及び取り外しをより容易に行ない得るようになっている。
【００１９】
本発明ドライアイ眼鏡用加湿具は、図２及び３に示す如く、上記の器体１０内部に、上記の保水部材２０を収容した後、器体開口部１１に上記の保水部材固定用枠体３０を着脱自在に嵌入せしめて構成され、図４〜７に示す如く、眼鏡枠体４０の穴部４１に着脱自在に嵌合して使用される。尚、水分（水と共に香料や薬剤を併用しても良い）は予め保水部材２０に吸収せしめて器体１０に収容しても良く、また器体１０に収容した後に水分を吸収せしめても良い。
【００２０】
【発明の効果】
本発明ドライアイ眼鏡用加湿具を用いれば、保水部材２０を器体１０内に確実に保持し、眼の周囲に水分を蒸散付与し得ることは勿論のこと、器体１０の眼鏡枠体４０への嵌合取り付け及び取り外しが容易であると共に、器体１０からの固定用枠体３０及び保水部材２０の取り外しが容易であるので、保水部材の洗浄や交換を手軽に行なうことができる。従って、本発明によれば、常に清潔な状態で加湿することのできるドライアイ眼鏡を提供することができる。
【図面の簡単な説明】
【図１】本発明加湿具の分解斜視説明図。
【図２】本発明加湿具の斜視説明図。
【図３】本発明加湿具の断面説明図。
【図４】本発明加湿具と眼鏡枠の斜視説明図。
【図５】本発明加湿具を眼鏡枠に取り付けた状態の斜視説明図。
【図６】本発明加湿具を眼鏡枠に取り付けた状態の内側要部拡大説明図。
【図７】本発明加湿具を眼鏡枠に取り付けた状態の要部断面説明図。
【符号の説明】
１０：器体
１１：開口部
１２：リブ
１３：分割片
１３ａ：外方突縁
１４：溝
２０：保水部材
３０：固定用枠体
４０：眼鏡枠
４１：穴部
【図１】
0004054442.tif 000002
【図２】
0004054442.tif 000003
【図３】
0004054442.tif 000004
【図４】
0004054442.tif 000005
【図５】
0004054442.tif 000006
【図６】
0004054442.tif 000007
【図７】
0004054442.tif 000008